(57)【特許請求の範囲】
【請求項１】
複数個の座標指示用入力ペンにより複数個の盤面上に指示した位置を検出し、座標データに変換する装置であって、該座標入力装置には、座標指示用入力ペンからの座標信号を検出する座標信号検出手段と、前記座標信号より座標データに変換する演算手段と、前記複数の盤面を切り替え選択する盤面切り替え手段と、該座標指示用入力ペンを切り替え選択する座標指示器選択手段と、座標データをコード化し、外部装置へ出力するデータ出力手段を備えた座標入力装置において、盤面毎に分解能が設定できる手段を設け、特定の座標指示用入力ペンを選択したときには、前記座標指示用入力ペンに対応した特定の盤面を有効にすることを特徴とする座標入力装置。
【発明の詳細な説明】
【０００１】
【発明の属する技術分野】
本発明は、座標指示用入力ペンにより指示した位置を検出する座標入力装置に関する。
【０００２】
【従来の技術】
近年、メニューの選択、確認や手書き入力等を直接表示画面を見ながら操作する、タッチパネルやデジタイザ等の座標入力装置を搭載した情報端末機などが普及している。ここで前記情報端末を複数台使用して、情報量や操作性を向上したものがある。又複数の操作者が同時に入力できる複数の座標指示用入力ペン（以下、入力ペンと呼ぶ。）を具備した座標入力装置が提案されている。
【０００３】
【発明が解決しようとする課題】
上述した従来の技術は、前記情報端末に搭載される座標入力装置を二層の抵抗膜が押圧点で互いに導通する構造である。通常、感圧方式タッチパネルを使用した場合、複数台を同時に使用することができるが、同じ盤面上に同時押圧したときはその原理上、指示位置がずれてしまい実用上使用出来ないものであった。
また、座標入力装置を静電容量方式デジタイザを使用した場合、複数の入力ペンを時分割で切り替えて同じ盤面上に同時入力できるが、複数台の座標入力装置を使用する場合はそれぞれの入力ペンが必要であり、複数の盤面を同じ入力ペンで操作できないという問題があった。
【０００４】
前記問題を解決するためには、複数の盤面及び複数の入力ペンを切り替えを行う方法も考えられるが、一つの入力ペンが座標検出にかかる時間を１とすると複数の入力ペンと複数の盤面を切り替えて、検出座標を特定する時間は最長入力ペンの数×盤面数となり、操作性が悪くなっていた。
【０００５】
【課題を解決するための手段】
複数個の座標指示用入力ペンにより複数個の盤面上に指示した位置を検出し、座標データに変換する装置であって、該座標入力装置には、座標指示用入力ペンからの座標信号を検出する座標信号検出手段と、前記座標信号より座標データに変換する演算手段と、前記複数の盤面を切り替え選択する盤面切り替え手段と、該座標指示用入力ペンを切り替え選択する座標指示器選択手段と、座標データをコード化し、外部装置へ出力するデータ出力手段を備えた座標入力装置において、盤面毎に分解能が設定できる手段を設け、特定の座標指示用入力ペンを選択したときには、前記座標指示用入力ペンに対応した特定の盤面を有効にする座標入力装置を提案するものである。
【０００６】
【作用】
本発明の座標入力装置では、複数個の座標指示用入力ペンにより複数個の盤面上に指示した位置を検出する場合に使用目的により必要十分な分解能又は有効盤面を選択し、座標検出時間を必要最低限に押さえることができる。
【０００７】
【発明の実施の形態】
本発明は複数個の座標指示用入力ペンにより、複数個の盤面上に指示した位置を検出し、座標データに変換する装置であって、特定の座標指示用入力ペンを選択したときには、前記座標指示用入力ペンに対応した特定の盤面を有効にする座標入力装置を提案するものである。
【０００８】
【実施例】
以下本発明の詳細を添付図を参照して説明する。図１は本発明の実施形態である座標入力装置の電気的ブロック図である。参照符号１−ａは入力ペン１、参照符号１−ｂは入力ペン２、参照符号２−ａは盤面１、参照符号２−ｂは盤面２、参照符号２−ｃは盤面３である。参照符号３は入力ペン１または２を選択する入力ペン切り替え部で、選択された入力ペン１及び入力ペン２は盤面の指示位置の信号を検出する。参照符号４は盤面１から３のいずれかを選択する盤面切り替え部で、ＡＣ信号７を印加する盤面を切り替える。参照符号５は選択された入力ペンで検出した検出信号を座標信号に変換する信号処理部、参照符号６は座標信号より数値化された座標データに変換する演算処理部である。
【０００９】
次に上記構成における座標入力装置の動作について説明する。本実施例において指示位置を検出するものとして、静電容量結合方式の座標入力装置を例にして説明する。静電容量結合方式の盤面は透明又は不透明な基材の上面に均一な面抵抗体が成膜されており、抵抗膜面を取り囲む抵抗性周辺電極を配設し、その４頂点にある電極から盤面へＡＣ信号を順次印加する。入力ペンは盤面上に当接された位置に比例した容量結合された信号を検出し、座標位置を演算処理する。詳しくは本願出願人による出願（特願平１１−２１６６７２号）に開示している。他の静電容量結合方式として透明又は不透明な基材にマトリクス状に配設された電極と各電極にＡＣ信号を順次印加して、入力ペンは容量結合された信号の最大電極を検出し、座標位置を演算処理する方法がある。
【００１０】
選択された入力ペン１が選択された盤面上１の指示位置を検出するまでの処理は、まず盤面の一箇所の電極にＡＣ信号を印加し、入力ペンから検出された信号をＡ／Ｄ変換により数値化して記憶、次の電極も前述と同じようにして、盤面にある電極に順次ＡＣ信号を印加してすべての電極からの検出信号を数値化し、これらの数値化された信号値より、比率計算を行って座標位置を割り出す。盤面１に入力ペンがなければ次の盤面２を選択し、上述同様な処理を行う。
【００１１】
ここで座標入力装置の使用目的として、手書き入力する場合には一般に座標検出処理速度は１００点／秒以上で、座標分解能は１ｍｍ以下が必要であり、一方項目入力の場合、処理速度は手書き入力より遅く、分解能は数ｍｍで必要十分である。分解能を上げるためには外来ノイズによる検出信号の誤差を減らす必要があり、そのために検出信号の取得回数を増やすことが効果的であるが、逆に座標位置を割り出すまでに時間がかかる。
上記２つの目的が混在する場合にすべての盤面の座標検出処理を手書き入力と項目入力ともに同じにすると、手書き入力目的の場合に、入力ペンに対する座標検出時間が遅れて追従性が悪くなるか、分解能が大きくなりなめらかな線が入力できなくなる。
【００１２】
又、複数の入力ペンを使用する場合も同様、全ての複数の盤面を順次切り替えて座標検出及び座標演算処理を行わなければならず、追従性が悪くなる。しかしながら複数の入力ペンで全ての複数の盤面を使用しない場合も少なからずある。例えば盤面１は液晶表示器上に配置された透明な盤面で、液晶画面を見ながら手書き入力を目的とし、入力ペン１、２を同時に操作する。盤面２は項目入力を目的としペン１のみ有効とする。盤面３は盤面２と同様項目入力を目的とするが、ペン２のみ有効とすることで、座標検出処理及び座標演算時間が短縮でき、さらには盤面２及び３は項目入力として使用するので分解能を大きく設定することにより座標演算時間を短縮できるので複数（実施例の場合は二人。）の操作者が同時に液晶画面を見ながら、それぞれ入力ペン１，２を使用し、入力できるので操作性が向上する。
【００１３】
次に時系列的な処理手順を図２のフローチャートに従い説明する。入力ペン切り替え部によりペン１を選択する（Ｓ１）。次に盤面切り替え部４により盤面１を選択し、盤面１にＡＣ信号を印加する（Ｓ２）。入力ペン１から検出された座標信号の有無を判断する（Ｓ３）。座標信号がある場合は、盤面１の指定された分解能に応じた座標演算処理を行う（Ｓ４）。座標信号が無い場合、盤面切り替え部４により盤面２を選択し、盤面２にＡＣ信号を印加する（Ｓ５）。入力ペン１から座標信号の有無を判断する（Ｓ６）。座標信号がある場合は、盤面２の指定された分解能に応じた座標演算処理を行う（Ｓ７）。座標信号が無い場合、座標演算処理を行わずに、盤面切り替え部４により盤面１を選択し、盤面１にＡＣ信号を印加する（Ｓ８）。入力ペン切り替え部３によりペン２を選択する（Ｓ９）。
【００１４】
入力ペン２から検出された座標信号の有無を判断する（Ｓ１０）。座標信号がある場合は盤面１の指定された分解能に応じた座標演算処理を行う（Ｓ１１）。
座標信号が無い場合、座標演算処理を行わずに盤面切り替え部４により盤面３を選択し、盤面３にＡＣ信号を印加する（Ｓ１２）。入力ペン２から座標信号の有無を判断する（Ｓ１３）。座標信号がある場合は、盤面３の指定された分解能に応じた座標演算処理を行う（Ｓ１４）。座標信号が無い場合、座標演算処理を行わずＳ１へ戻る。
ちなみに入力ペン有無の判断は数値化された検出信号で判定する。例えば検出信号が既定値より小さいと入力ペンが盤面から離れていると判断し、入力ペンの有無の判断をすることができる。
【００１５】
尚、本実施例では２つの入力ペンと３つの盤面で説明したが、使用目的により複数の入力ペンと盤面を使い分けることが出来る。又、静電容量結合方式だけでなく、電磁誘導方式の座標入力装置を使用しても同様の効果が得られる。
【００１６】
【発明の効果】
本発明は以上のような構成となしたので、座標入力装置を静電容量方式デジタイザを使用し複数台の座標入力装置を使用する場合に実現が困難である複数の盤面を同じ入力ペンで操作できるようになり、さらに使用目的により分解能や有効盤面を選択することで操作性が向上した。
【図面の簡単な説明】
【図１】  座標入力装置のブロック図
【図２】  処理過程を示したフローチャート
【符号の説明】
１−ａ    入力ペン１
１−ｂ    入力ペン２
２−ａ    盤面１
２−ｂ    盤面２
２−ｃ    盤面３
３        入力切り替え部
４        盤面切り替え部
５        信号処理部
６        演算処理部
７        ＡＣ信号
【図１】
0003985564.tif 000002
【図２】
0003985564.tif 000003